(57)【要約】      （修正有）【課題】指先操作により個々のガラリ羽根材を所望の角度に開閉させることができる換気ガラリを提供する。【解決手段】ガラリ羽根材８は支軸７を中心に回動自在に軸支され、ガラリ羽根材の長さ方向の両端部内に、所定の回動角毎に回動を仮係止させるピン９が出没自在に保持されている。ピンはガラリ羽根材の両端部から突出する方向にばね付勢され、換気ガラリ１の換気口５内の両側に位置する内壁には、ピンの先端部が落ち込む窪みがある受け部材１２が固定されている。窪みは所定の回動角毎にガラリ羽根材を仮係止できるように複数箇所に設けられている。【選択図】図１
0003198534.tif 000002
【実用新案登録請求の範囲】
【請求項１】
角型の換気ガラリ枠と、該換気ガラリ枠が有する換気口内の対向する内壁相互間に所定間隔を置いて横方向又は縦方向に平行に配設された複数本の支軸と、該支軸毎に支持された複数枚のガラリ羽根材とを有し、
前記各ガラリ羽根材は、前記支軸を中心に回動自在に軸支され、
前記各ガラリ羽根材の長さ方向の両端部に、所定の回動角毎に該ガラリ羽根材の回動を仮係止させる仮係止手段が、前方に付勢された状態で進退自在に設けられ、
前記対向する内壁における前記所定の回動角毎になる箇所に、前記ガラリ羽根材の回動に伴って移動する前記仮係止手段の先端部が係合する受け部が設けられていることを特徴とする換気ガラリ。
【請求項２】
前記仮係止手段は、前記ガラリ羽根材の長さ方向の両端部内に出没自在な状態で保持された先端部が半球面を有する軸からなる２本のピンで構成され、
該２本のピンの前記前方に向けた付勢は、該２本のピンの後端部間に位置する弾性部材による伸長を伴った押し付けにより行われ、
前記受け部は、前記ピンの先端部を突入させて前記ガラリ羽根材の回動を仮係止させる複数個の浅い窪みで構成されている、請求項１に記載の換気ガラリ。
【考案の詳細な説明】
【技術分野】
【０００１】  本考案は、指先操作により個々のガラリ羽根材を所望の角度に開閉させることができる構造を備えた換気ガラリに関する。
【背景技術】
【０００２】  換気ガラリは、暑い季節に屋外の風を室内に導入し、室内の換気をする。換気ガラリの多くの機種は、換気口内にガラリ羽根材が多段に設けられている。【０００３】  図７（ａ）に示すように、換気口５内の対向する側壁６，６に平行に取り付けられた２本の支軸７Ｆ，７Ｒにガラリ羽根材８が支持されていると、ガラリ羽根材８の向きは固定される。図７（ｂ）に示すように、ガラリ羽根材８の両端部が換気口５内の対向する側壁６，６にビス１５，１５を用いて回動自在に支持されていると、ガラリ羽根材８の向きは開閉自在になる。【０００４】  図７（ａ）に示すように、ガラリ羽根材８が水平の向きで固定されていると、暑い季節に室外の涼しい風を多く室内に取り入れることが出来るが、風の強い日や夜間などにおいて、室内に取り入れる風量を抑えることが出来ない。また、寒い季節になると寒風が室内に侵入する。【０００５】  図７（ｂ）に示すように、ガラリ羽根材８が開閉自在であると、上述した不具合は生じないが、ガラリ羽根材８を所定の開閉角度毎に仮係止させる構造ではないため、複数枚のガラリ羽根材８，８・・を同じ向きに揃えることが出来ない。また、ガラリ羽根材８とビス１５，１５との間に緩みが生じたり、強風や振動を受けたときに、ガラリ羽根材８の向きが変わるおそれがある。このため、操作レバーの操作でガラリ羽根材８，８・・の開閉が連動する構造を備えた換気ガラリも出現している。【０００６】  しかしながら、この操作レバーは、換気ガラリから室内側に突出した状態で設けられているため、見栄えが悪く邪魔になることがある。
【考案の概要】
【考案が解決しようとする課題】
【０００７】  本考案は、指先操作により個々のガラリ羽根材を所望の角度に開閉させることができる構造を有する換気ガラリにすることを解決課題とする。
【課題を解決するための手段】
【０００８】  請求項１に係る換気ガラリは、次の各構成を備える。
（１）角型の換気ガラリ枠と、該換気ガラリ枠が有する換気口内の対向する内壁相互間に所定間隔を置いて横方向又は縦方向に平行に配設された複数本の支軸と、該支軸毎に支持された複数枚のガラリ羽根材とを有している。
（２）前記各ガラリ羽根材は、前記支軸を中心に回動自在に軸支されている。
（３）前記各ガラリ羽根材の長さ方向の両端部に、所定の回動角毎に該ガラリ羽根材の回動を仮係止させる仮係止手段が、前方に付勢された状態で進退自在に設けられている。
（４）前記対向する内壁における前記所定の回動角毎になる箇所に、前記ガラリ羽根材の回動に伴って移動する前記仮係止手段の先端部が係合する受け部が設けられている。【０００９】  本考案に係る換気ガラリが備えるガラリ羽根材は、指先による操作で個々に開閉方向に回動させ得る支持構造を有する。この回動は１本の前記支軸にガラリ羽根材を支持させることにより可能になる。【００１０】  前記所定の回動角は、例えば、２２．５°の回動角が挙げられる。この回動角に設定すると、ガラリ羽根材を水平姿勢の他、上下それぞれ２２．５°、４５°、６７．５°、９０°の各傾斜姿勢で仮係止させることが出来る。ガラリ羽根材を直立した９０°の回動角の姿勢にさせることが出来るか否かという点と、各ガラリ羽根材を閉じて換気口を閉鎖させることが出来るは否かという点は、ガラリ羽根材どうしの間隔次第になる。各回動角は、同じ角度の間隔であることを基本とするが、各回動角或いは一部の回動角に違いがある場合も本考案に含まれる。【００１１】  ガラリ羽根材を指先で傾ける方向に操作すると、上述した所定角度毎にガラリ羽根材の回動が仮係止される。仮係止させる力よりも少し強い力でガラリ羽根材を回動方向に操作し続けると、仮係止した傾きから脱出する。【００１２】  前記仮係止手段は、例えば、公知部材であるばね付勢されたデテントボールとボール、永久磁石、板ばね等、回転を阻止するストッパー機能を有する周知の部材が挙げられる。最適な仮係止手段は、請求項２に記載の伸縮ピンと窪みの組み合わせが挙げられる。【００１３】  請求項２に係る換気ガラリは、次の各構成を備える。
（１）請求項１に係る換気ガラリと同じ構成を備える。
（２）前記仮係止手段は、前記ガラリ羽根材の長さ方向の両端部内に出没自在な状態で保持された先端部が半球面を有する軸からなる２本のピンで構成されている。
（３）該２本のピンの前記前方に向けた付勢は、該２本のピンの後端部間に位置する弾性部材による伸長を伴った押し付けにより行われる。
（４）前記受け部は、前記ピンの先端部を突入させて前記ガラリ羽根材の回動を仮係止させる複数個の浅い窪みで構成されている、【００１４】  前記ピンはガラリ羽根材の長さ方向の両端部にある長孔叉は深穴内に、出没自在に保持されている。ガラリ羽根材には、長さ方向に沿う中央個所と、長さ方向に沿う両側近傍箇所に、夫々、長孔叉は溝が設けられたタイプのものがある。このタイプのガラリ羽根材は、前記ピンを保持させる孔を設けるための後加工が不要であるため、本考案に適したガラリ羽根材であるが、上述した後加工をすれば、このガラリ羽根材でなくても、本考案に合わせたガラリ羽根材になる。【００１５】  前記ピンは、前記ガラリ羽根材の長さ方向に沿う両近傍箇所に設けられている孔又は溝内に、出没自在に保持させることができる。該ピンを突出方向に付勢させる弾性部材は、外径が該ピンよりも若干小さな短い圧縮コイルばねを最適とするが、同様の機能を有する他形状のばね（トーションばね等）を用いても良い。前記ばね（圧縮コイルばね、トーションばね）の後端部を位置決めする前記支持部は、例えば、前記長孔又は溝内に入れられた長尺なばね受け軸が挙げられる。前記支軸は、前記長さ方向に沿う中央に設けられている長孔又は溝内に挿入されて、ガラリ羽根材の支持軸になる。【００１６】  前記受け部に設けられている複数個の浅い窪み又は凹凸部は、前記対向する内壁に夫々、後加工して設けても良いが、複数個の浅い窪み又は凹凸部が設けられた金属薄板又は硬質プラスチック板を前記内壁に固定させると、窪み又は凹凸部の加工がし易い。
【考案を実施するための形態】
【００１７】  以下、本考案に係る換気ガラリについて図面に沿って詳述する。
【図面の簡単な説明】
【００１８】
【図１】（ａ）は本考案第１実施形態に係る換気ガラリの正面図、（ｂ）は側面断面図。
【図２】（ａ）はガラリ羽根材の端面図、（ｂ）はガラリ羽根材の一部と仮係止手段の構成部品を示した斜視図、（ｃ）はピンと支軸を取り付けたガラリ羽根材の一端部を示した部分斜視図。
【図３】（ａ）及び（ｂ）は何れも仮係止手段を備えたガラリ羽根材の部分平面断面図。
【図４】（ａ）は換気ガラリの上部を示した部分側面断面図、（ｂ）は同じく正面部分断面図。
【図５】（ａ）は受け部材の正面図、（ｂ）は図５（ａ）におけるＡ−Ａ断面図、（ｃ）は受け部材の底面部分断面図、（ｄ）は受け部材の一部拡大底面図。
【図６】（ａ）は換気ガラリの上部を示した部分側面断面図、（ｂ）は同じく正面部分断面図。
【図７】（ａ）（ｂ）は何れも従来技術による換気ガラリの側面断面図。
【実施例】
【００１９】  図１及び図２に本考案の１実施形態に係る換気ガラリ１が示されている。
この換気ガラリ１は、ガラリ外枠材２とガラリ内枠材４とが組み付けられた方形状の換気ガラリ枠４を有し、換気ガラリ枠４の内側空間になる換気口５に複数枚のガラリ羽根材８，８・・・が上下多段に組み付けられた概略構造を有する。ガラリ羽根材８，８・・・は、換気口５内において対向する側壁（壁面）６，６に両端部が支持された支軸７，７・・・に上下回動自在に支持されている。尚、図に示す換気ガラリ枠４の構造とガラリ羽根材８の種類は一例であり、本考案を限定するものではない。【００２１】  図１に示す換気ガラリ１では、概略縦断面形状が中空楕円形状を有する丸平タイプと呼ばれるアルミ押出し成型されたガラリ羽根材８が用いられている。図２（ａ）〜（ｃ）に示すように、このガラリ羽根材８の長さ方向に沿う中央個所には、支軸７を挿入支持させ得大きさを有する円弧状の溝８ｂが形成されている。このガラリ羽根材８の長さ方向に沿う両側近傍箇所には、ピン９，９とばね１０，１０とばね受け軸１１，１１を夫々直列方向に挿入支持させ得る大きさを有するＣ字形状の溝８ｃ，８ｃが形成されている。図示していないが、これらの溝８ｂ、８ｃ、８ｃと同様の機能を有する孔があるガラリ羽根材を用いても良く、中空楕円形状に代わる他の形状のガラリ羽根材、例えば、Ｆ．Ｂタイプと呼ばれる平角型或いは中空平角型等のガラリ羽根材を用いても良い。【００２１】  図２（ｂ）（ｃ）及び図３（ａ）に示すように、支軸７は、その両端部７ａ，７ａをガラリ羽根材８の両端部８ａ，８ａから突出した状態で、ガラリ羽根材８に挿入されている。支軸７の両端部７ａ，７ａは、換気口内の両側壁に設けられている孔内に突入支持させる部分になる。図示していないが、換気口内の両側壁の外側からガラリ羽根材８の両端部８ａ，８ａに向けて頭付きピンの軸部を突入させる方法で、ガラリ羽根材８を換気口内に組み付けても良い。【００２２】  図２（ｂ）（ｃ）及び図３（ａ）（ｂ）に示すように、ピン９は、ガラリ羽根材８の長さ方向に沿う両側近傍箇所に設けられているＣ字形状を有する溝８ｃ，８ｃ内に、円滑な出没が自在な状態で保持されている。最適とされるピン９は、小径短軸形状を有し、先端部が半凸球面形状を有するステンレス製ピンである。ピン９を付勢する最適とされるばね１０は、ピン９よりも若干小径の外径を有し、自由高さ（長さ）が１０ｍｍ〜３０ｍｍのステンレス製圧縮ばねである。ばね１０の後端部の位置決めをするばね受け軸１１は、図３に示す左右のばね１０，１０相互の間隔を維持させる長さがあり、支軸７に用いられている線材の使用が可能である。【００２３】  図１（ｂ）を参照しつつ図４（ａ）（ｂ）に示すように、換気口５内の対向する側壁（壁面）６，６には、受け部の１形態である円板形状を有する金属薄板製の受け部材１２，１２・・・が固定されている。図４（ａ）はピン９．９に押し戻し方向の外圧が加わっていない状態で示されており、図４（ｂ）は外圧が作用してガラリ羽根材８の両端部８ａ，８ａ内に収まる位置まで押し戻された状態で示されている。
受け部材１２は、金属薄板製に限らず、硬質プラスチック製の板又はシートであっても良い。図に示す受け部１２は、ガラリ羽根材８の両端前方毎に設けられているが、換気口５の両側の内壁６，６の広さに略合わせた広さがある左右各１枚の受け部とすることも可能である。受け部材１２の固定は、ビス留め、溶接、強力両面接着シートによる貼り付け等の何れか又は複数の組み合わせにより行われる。【００２４】  図５（ａ）（ｂ）に示すように、受け部材１２の板面中央には、図４（ｂ）に示す支軸７の先端部７ａを挿通させる軸孔１２ｄが設けられている。受け部材１２の板面の外周寄りの円形線１３沿う所定間隔を設けた箇所個所には、図４（ｂ）に示すピン９の先端部を落し込ませる窪み１２ｃ，１２ｃ・・・が夫々、形成されている。円形線１３は、ガラリ羽根材の回動と共にピン９の先端部が通過する位置になる。図５（ｃ）に示すように、窪み１２ｃはリング状の斜面１２ｄと円形の開口１２ｅとにより形成されている。【００２５】  図５（ａ）に示すように、窪み１２ｃ，１２ｃ・・・は、ガラリ羽根材８が水平姿勢にあるときにピン９，９の先端部が落ち込む２か所に設けられており、更にこの位置から上方及び下方に２２．５°傾斜した箇所と、上方及び下方に４５°傾斜した箇所と、上方及び下方に６７．５°傾斜した箇所と、垂直する個所にも、同じ形状及び大きさの窪み１２ｃ，１２ｃ・・・が設けられている。【００２６】  図６（ａ）には、ガラリ羽根材８が下方に２２．５°傾斜した状態が示されている。図４（ａ）に示す水平姿勢で係止されているガラリ羽根８を、図６（ａ）に示す係止位置まで回動方向に操作をし続けると、ピン９，９の先端部は、図５（ｃ）に示す斜面１２ｄに押されて後退しながら窪み１２ｃ，１２ｃ内に落ち込んだ位置から脱出して、図４（ｂ）に示す状態から受け部材１２の平坦な高位の面（外側面）に乗り上げた図６（ｂ）に示す状態に押し戻される。ガラリ羽根材８を更に回動方向に操作すると、ピン９，９の先端部は次の傾斜角にある窪み１２ｃ、１２ｃに落ち込んで、ガラリ羽根材８を仮係止させる。【００２７】  図４（ａ）（ｂ）に示すように、ガラリ羽根材８左右端部の何れの個所においても、ピン９，９はガラリ羽根材８の回動する軸芯から同じ間隔のある両端近傍箇所に位置している。このため、ピン９，９が受け部材１２を押圧し続けても、ガラリ羽根材８の安定姿勢を維持させる障害にはならない。むしろ、この押圧はガラリ羽根材８の安定姿勢の維持に寄与し得る。
【考案の効果】
【００２８】  本考案に係る換気ガラリによれば、各ガラリ羽根材を指先操作で所定の開閉角毎に振り向けて仮係止させることが出来る。この結果、換気ガラリの利用者は、複数枚あるガラリ羽根材のそれぞれを複数ある所定の傾斜角（開閉角）に合わせた向きに調節することが出来る。しかも、ガラリ羽根材を直接指先で操作出来る構造であるため、構造が簡単であり、従来の開閉式換気ガラリに用いられていた嵩ばった操作レバーは不要である。
【符号の説明】
【００２９】  １    換気ガラリ
２    ガラリ外枠材
３    ガラリ内枠材
４    ガラリ枠
５    換気口
６    内壁
７    支軸
８    ガラリ羽根材
９    ピン
１０    ばね
１１    ばね受け軸
１２    受け部材
１２ｃ  窪み
【図１】
0003198534.tif 000003
【図２】
0003198534.tif 000004
【図３】
0003198534.tif 000005
【図４】
0003198534.tif 000006
【図５】
0003198534.tif 000007
【図６】
0003198534.tif 000008
【図７】
0003198534.tif 000009